(57)【要約】【課題】  ＬＥＤ発光時に現出されるイルミネーションにより装飾性と視認性が高められ、他の遊技者に対するアピール性が高く、遊技者に満足感と優越感を与えることができるドル箱用台を提供する。【解決手段】  ドル箱が載置される天板２と、脚部を兼ねると共に、一部がアクリル板８からなる枠体３と、天板２と枠体３との間に架設されて天板２を上方へ付勢するスプリング４と、ＬＥＤを発光させてアクリル板８にイルミネーションを形成するＬＥＤ電飾ユニットとを具備し、前記ＬＥＤ電飾ユニットは、テープＬＥＤ５と、ドル箱の重量がスプリング４に作用することにより閉動作するマイクロスイッチ６と、マイクロスイッチ６が閉動作したときにテープＬＥＤ５に電力を供給する電源部とを備える。【選択図】  図２
0003191210.tif 000002
【実用新案登録請求の範囲】
【請求項１】
スロットメダルを収納したドル箱を載置するために用いる台であって、
ドル箱が載置される天板と、
脚部を兼ねると共に、一部が光透過性の装飾部材からなる枠体と、
前記天板と前記枠体との間に架設されて前記天板を上方へ付勢する弾性部材と、
ＬＥＤを発光させて前記装飾部材にイルミネーションを形成するＬＥＤ電飾ユニットと、
を具備し、
前記ＬＥＤ電飾ユニットは、
ＬＥＤとＬＥＤを発光させる電気回路部とからなるＬＥＤ発光体と、
ドル箱の重量が前記弾性部材に作用することにより閉動作するマイクロスイッチと、
前記マイクロスイッチが閉動作したときに前記ＬＥＤ発光体に電力を供給する電源部と、
を備えるドル箱用台。
【請求項２】
前記枠体が内部空間を有し、この内部空間に前記弾性部材と前記マイクロスイッチと前記電源部とが内蔵されていることを特徴とする請求項１記載のドル箱用台。
【請求項３】
前記枠体が対向した一対の装飾部材を備えることを特徴とする請求項１又は２記載のドル箱用台。
【考案の詳細な説明】
【技術分野】
【０００１】
本考案は、スロットメダルを収納したドル箱を載置するために用いる台に関するものである。
【背景技術】
【０００２】
スロットマシンにおいて、遊技者が大当たりして大量のメダルを獲得した場合、その遊技者はメダルを俗にドル箱と称する収納箱に入れてこれを従業員が用意してくれる台に載置して遊技を続行する。
【考案の概要】
【考案が解決しようとする課題】
【０００３】
従来、この種の台は装飾性がなく、視認性が低いものであった。そのため、ドル箱を台に置いていても大当たりしたことを周囲にアピールすることができず、遊技者に満足感や優越感を得させるものではなかった。
【０００４】
本考案が解決しようとする課題は、装飾性を持たせて視認性を高めることにより、他の遊技者に対するアピール性が高く、遊技者に満足感と優越感を効果的に演出できるドル箱用台を提供することにある。
【課題を解決するための手段】
【０００５】
本考案は、前記課題を解決するためになされたものであり、請求項１記載のドル箱用台は、スロットメダルを収納したドル箱を載置するために用いる台であって、ドル箱が載置される天板と、脚部を兼ねると共に、一部が光透過性の装飾部材からなる枠体と、前記天板と前記枠体との間に架設されて前記天板を上方へ付勢する弾性部材と、ＬＥＤを発光させて前記装飾部材にイルミネーションを形成するＬＥＤ電飾ユニットと、を具備し、前記ＬＥＤ電飾ユニットは、ＬＥＤとＬＥＤを発光させる電気回路部とからなるＬＥＤ発光体と、ドル箱の重量が前記弾性部材に作用することにより閉動作するマイクロスイッチと、前記マイクロスイッチが閉動作したときに前記ＬＥＤ発光体に電力を供給する電源部と、を備えることを特徴とするものである。
【０００６】
また、請求項２記載のドル箱用台は、前記請求項１記載のドル箱用台において、前記枠体が内部空間を有し、この内部空間に前記弾性部材と前記マイクロスイッチと前記電源部とが内蔵されていることを特徴とするものである。
【０００７】
また、請求項３記載のドル箱用台は、前記請求項１又は２のいずれかに記載のドル箱用台において、前記枠体が対向した一対の装飾部材を備えることを特徴とするものである。
【考案の効果】
【０００８】
本考案のドル箱用台によれば、ＬＥＤ発光時に現出されるイルミネーションにより装飾性と視認性が高められ、他の遊技者に対するアピール性が高く、遊技者に満足感と優越感を効果的に演出できる。
【０００９】
また、本考案のドル箱用台によれば、ＬＥＤ電飾ユニットの大部分が人の目に触れない場所に内蔵されているため、遊技者に「この台はドル箱を置いただけでなぜ急に輝きだしたのだろうか？」との意外な印象を与えることができる。
【００１０】
また、本考案のドル箱用台によれば、一方側の装飾部材を通して反対側の装飾部材、さらにはその先まで見渡すことができるため、透明感に溢れ、周囲の景観に溶け込みながら独特の存在感を演出できる。
【図面の簡単な説明】
【００１１】
【図１】本考案のドル箱用台の使用状態を示す斜視図である。
【図２】本考案のドル箱用台の実施の形態を示す縦断面図である。
【図３】本考案のドル箱用台の実施の形態を示す横断面図である。
【考案を実施するための形態】
【００１２】
以下、本考案の実施形態を図面に基づき説明する。図１〜３は本考案の好適な実施形態を示し、図１は使用状態を示す斜視図であり、図２は縦断面図であり、図３は横断面図である。
【００１３】
本考案のドル箱用台１はドル箱１０を載置するために用い、天板２と枠体３とが弾性部材としてのスプリング４により架設されて外枠部分を形成し、枠体３にＬＥＤ発光体としてのテープＬＥＤ５と、マイクロスイッチ６と、電池を収納した電源部７とからなるＬＥＤ電飾ユニットを取り付けた構成より成る。ドル箱用台１は全体として中空の逆箱状を呈しているため、床面やテーブル上のほか、キャスター付きのパイプ型折りたたみ式カートの上などにもバランスよく載置することができ、しかも軽量化にも適した構造となっている。
【００１４】
天板２と枠体３の寸法及び材質は載置されるドル箱の寸法及び重量にあわせて適宜選択すれば良いが、スロットメダルが一杯に詰められたドル箱の重量に鑑みると材質は亜鉛メッキ鋼板等の鋼板を用いるのが好ましい。
【００１５】
天板２は平面視長方形の浅底箱状に形成され、短辺側の両側面部には鍔部２０が設けられている。鍔部２０の両端部にはスプリング４の一端が係止されている。
【００１６】
枠体３は一対の長辺側板３０と一対の短辺側板３１とを備える。一対の長辺側板３０には同大・同形の窓部３２が対向して設けられており、その内側面には装飾部材としての透明のアクリル板８が窓部３２を覆うように取り付けられている。これにより、一方側のアクリル板８を通して反対側のアクリル板８、さらにはその先まで見渡すことができるので、透明感に溢れ、周囲の景観に溶け込みながら独特の存在感を演出できる。
【００１７】
アクリル板８には上縁部に沿ってテープＬＥＤ５が取り付けられている。アクリル板８は一側面に模様が施されており、上端面からテープＬＥＤ５が光を照射することにより模様が光を反射してアクリル板８の表面にイルミネーションを形成し、装飾効果が格段に高められる。アクリル板８に模様を施す方法は特に限定されず、カッティングシートを貼り付ける方法や模様部分を削る方法など公知の電飾手段を用いることができる。
【００１８】
本実施例では、ＬＥＤ発光体として、省スペースで、人の目に付きにくいアクリル板８の上縁部に取り付けることができるテープＬＥＤ５を用いたが、具体的構成はこれに限定されるものではない。また、装飾部材としてアクリル板８を用いたが、ＬＥＤが発した光を透過可能な素材であればよく、例えばプラスチック等の合成樹脂を用いても良い。
【００１９】
一対の短辺壁板３１の内側には、それぞれ所定の間隔を置いてサイドカバー３３が設けられており、短辺壁板３１との間に内部空間３４を形成している。サイドカバー３３には上端縁に沿って断面視略コの字型の固定金具３５が取り付けられており、固定金具３５の両端部には一端が鍔部２０に係止されたスプリング４の他端が係止されている。すなわち本実施例では、天板２は４本のスプリング４により上方へ付勢されている。また、短辺壁板３１には内部空間３４に膨出する取っ手３６が設けられており、ドル箱用台１の持ち運びの便宜が図られている。
【００２０】
一方の内部空間３４には、固定金具３５にマイクロスイッチ６が取り付けられると共に、サイドカバー３３の側面に電池を収納した電源部７が取り付けられている。マイクロスイッチ６は、ドル箱が天板２に載置されて天板２がスプリング４の付勢力に抗して押し下げられたときにアクチュエータが天板２の底面により押動作される位置に取り付けられている。なお、本実施例における天板２は、ドル箱載置時には天板２の底面がサイドカバー３３の上端に接地するまで押し下げられる。
【００２１】
電源部７は、サイドカバー３３の側面に電池取出し口の形状に適合して穿設された開口に、電池取出し口の蓋を内部空間３４の外側に開閉できるように嵌合されている。これにより電池の交換を容易に行うことができる。
【００２２】
本考案のドル箱用台１は、ＬＥＤ電飾ユニットを構成するマイクロスイッチ６と電源部７が人の目に触れない内部空間３４に内蔵されると共に、省スペースのテープＬＥＤ５が人の目に付きにくいアクリル板８の上端縁に沿って取り付けられているので、遊技者に「この台はドル箱を置いただけでなぜ急に輝きだしたのだろうか？」との意外な印象を与えるものである。
【００２３】
本考案のドル箱用台１は、主としてスロットマシンの遊技者に満足感と優越感を得させる効果を奏するものであるが、パチンコ球などの他の遊技場で使用する遊技媒体を収容する箱を載置する台としても用いることができるのはもちろんである。
【符号の説明】
【００２４】
１  ドル箱用台
２  天板
３  枠体
４  スプリング
５  テープＬＥＤ
６  マイクロスイッチ
７  電源部
８  アクリル板
１０  ドル箱
【図１】
0003191210.tif 000003
【図２】
0003191210.tif 000004
【図３】
0003191210.tif 000005